(57)【要約】【課題】遮音性能を効果的に高めることができ、しかも、それをコスト的に有利に、かつ、施工容易に実現することができる、遮音床等の構造を提供する。【解決手段】例えば床について、床板４の下の、大梁２…で囲まれた内部が小梁３…で複数に区画され、各区画領域のうち、直交する少なくとも二辺が大梁である区画領域にある床板部４ａ…に、残る区画領域の床板部４ｂ…よりも高い遮音対策が施されている。遮音対策は例えばつなぎ梁５や質量材などからなる。【選択図】      図１
2005282137.tif 000002
【特許請求の範囲】
【請求項１】
床板下の、大梁で囲まれた内部が小梁で複数に区画され、
各区画領域のうち、直交する少なくとも二辺が大梁である区画領域にある床板部に、残る区画領域の床板部よりも高い遮音対策が施されていることを特徴とする遮音床の構造。
【請求項２】
天井板上の、大梁で囲まれた内部が小梁で複数に区画され、
各区画領域のうち、直交する少なくとも二辺が大梁である区画領域の天井板部に、残る区画領域の天井板部よりも高い遮音対策が施されていることを特徴とする遮音天井の構造。
【請求項３】
面板の、大軸材で囲まれた内部が小軸材で複数に区画され、
各区画領域のうち、直交する少なくとも二辺が大軸材の区画領域の面板部に、残る区画領域の膜部よりも高い遮音対策が施されていることを特徴とする面板の遮音構造。
【発明の詳細な説明】
【技術分野】
【０００１】
本発明は、遮音床の構造、遮音天井の構造及び面板の遮音構造に関する。
【背景技術】
【０００２】
例えば、床板についての重量床衝撃音等の遮断性能を高めるために、床の剛性と重量の両方を増すか、あるいは、それらのうちのいずれか一方を増すことは、従来より行われている。
【発明の開示】
【発明が解決しようとする課題】
【０００３】
しかしながら、重量や剛性等による遮音対策を施すことは、コストの上昇と施工性の悪化を招き、遮音性能とそれらとの兼ね合いから、遮音性能が犠牲にされることもある。
【０００４】
本発明は、かかる問題点に鑑み、床や、その他、遮音性能の求められる各種面板を対象とし、その遮音性能を効果的に高めることができ、しかも、それをコスト的に有利に、かつ、施工容易に実現することができる、遮音床の構造、遮音天井の構造及び面板の遮音構造を提供することを課題とする。
【課題を解決するための手段】
【０００５】
上記の課題において、発明者らは、実験と研究を重ねていくうち、図５に示すように、四隅の柱５１…に大梁５２…がわたされ、大梁５２…で囲まれた内部が小梁５３…で６つに区画された床構造、実験では剛床構造について、各区画領域の床板部５４ａ…，５４ｂ…の遮音性能を実際に調べてみたところ、直交する二辺が大梁５２…の区画領域にある床板部５４ａ…についての遮音性能が、残る床板部５４ｂ…における遮音性能よりも劣るという事実を突き止めることができた。
【０００６】
本発明は、このような解明に基づいてなされたものであって、床板下の、大梁で囲まれた内部が小梁で複数に区画され、
各区画領域のうち、直交する少なくとも二辺が大梁である区画領域にある床板部に、残る区画領域の床板部よりも高い遮音対策が施されていることを特徴とする遮音床の構造をその内容とする。
【０００７】
なお、「大梁」「小梁」の語は、それらの梁間の相対的関係を示すために用いられたものであり、「大梁」は柱間にわたされた梁に限定されるものではない。
【０００８】
この構造では、直交する少なくとも二辺が大梁である区画領域にある遮音性能の劣る床板部に、高い遮音対策が施されているので、大梁に囲まれた床板の遮音性能を効果的に高いものにすることができる。
【０００９】
しかも、直交する少なくとも二辺が大梁である区画領域にある床板部と、残る区画領域の床板部とで、遮音対策に差が付けられているので、遮音性の向上を、コスト的に有利に、かつ、施工容易に実現することができる。
【００１０】
また、本発明は、天井板上の、大梁で囲まれた内部が小梁で複数に区画され、
各区画領域のうち、直交する少なくとも二辺が大梁である区画領域の天井板部に、残る区画領域の天井板部よりも高い遮音対策が施されていることを特徴とする遮音天井の構造も内容とする。
【００１１】
この構造では、床についての上記の遮音構造の場合と同様の原理によって、天井板の遮音性能を効果的に高めることができ、しかも、それをコスト的に有利に、かつ、施工容易に実現することができる。特に、本発明の天井構造が、階上の床の下に備えられる階下の天井の構造として用いられる場合は、階上の床の振動音が階下に伝わるのを、コスト面や施工面における有利性を発揮しつつ、効果的に遮断することができる。
【００１２】
更に、本発明は、面板の、大軸材で囲まれた内部が小軸材で複数に区画され、
各区画領域のうち、直交する少なくとも二辺が大軸材の区画領域の面板部に、残る区画領域の膜部よりも高い遮音対策が施されていることを特徴とする面板の遮音構造も内容とする。即ち、本発明では、床や天井に限らず、各種の面板について、面板が面を垂直に向けているか、水平に向けているか、斜めに向けているかなどにかかわらず、その遮音性能を、コスト面や施工面における有利性を発揮しつつ、効果的に高めることができる。なお、軸材の語は、水平材である梁のほか、垂直材等である場合も含む意味で用いられている。
【発明の効果】
【００１３】
本発明は、以上のとおりのものであるから、遮音性能を効果的に高めることができ、しかも、それをコスト的に有利に、かつ、施工容易に実現することができる。
【発明を実施するための最良の形態】
【００１４】
次に、本発明の実施最良形態を図面に基づいて説明する。
【００１５】
図１に示す第１実施形態は、遮音床の構造についてのもので、１…は四隅の柱であり、柱１…間には大梁２…がわたされ、大梁２…で囲まれた内部は小梁３…で６つの領域に区画され、上から全体に床板４が設置され、床板４は各梁２…，３…に接合されて剛床構造を形成している。なお、各領域の床板部４ａ…，４ｂ…の平面サイズは、例えば、一方の辺が９００ｍｍ、もう一方の辺が１８００ｍｍに設計されている。
【００１６】
そして、直交する二辺が大梁２…の区画領域にある床板部４ａ…について、それらの各下に、柱１寄りに位置するようにして、梁間につなぎ梁５…がわたされ、それらの領域の床板部４ａ…がそれぞれつなぎ梁５…に接合され、剛性が高められることで、残る区画領域の床板部４ｂ…よりも高い遮音対策が施された構造となっている。
【００１７】
上記の構造では、二辺が大梁２の区画領域にある遮音性能の劣る床板部４ａ…に、つなぎ梁５…による遮音対策が施されているので、大梁２…に囲まれた床板４の遮音性能を効果的に高いものにすることができる。しかも、直交する二辺が大梁２の区画領域にある床板部４ａ…と、残る区画領域の床板部４ｂ…とで、遮音対策に差を付けられているので、遮音性の向上を、コスト的に有利に、かつ、施工容易に実現することができる。
【００１８】
図２に示す第２実施形態は、二辺が大梁２の区画領域にある床板部４ａ…に、つなぎ梁に替えて、質量材６…を備えさせ、重量を大きくすることで、残る区画領域の床板部４ｂ…よりも高い遮音対策が施されているものであり、その他は第１実施形態と同様であり、同様の作用効果が奏される。この場合の床板部４ａ…における床重量は例えば１００Ｋｇ／ｍ2に設定すれば充分な遮音性能を得ることができる。
【００１９】
ただ、質量材６のみに頼る構造では、床の場合、床の固有振動数が低くなって、歩行時に床が低周波数で振動しまい、歩行感を損ねる場合があるので、質量材を使用する場合には、図３に示す第３実施形態のように、二辺が大梁２の区画領域にある床板部４ａ…に、つなぎ梁５…を設置した上で、床板４に質量材６を備えさせるようにするとよい。
【００２０】
その場合に、質量材６…は、図示するように、二辺が大梁２の区画領域にある床板部４ａ…に対して備えさせると共に、残る床板部４ｂ…に対しては省略するというようにしてもよいし、図示しないが、床板４の全体に備えさせるようにしてもよい。なお、質量材設置による床重量は、例えば７０Ｋｇ／ｍ2に設定すれば、つなぎ梁５…との関係で、充分な遮音性能を得ることができる。
【００２１】
図４に示す第４実施形態は、階上の床８の下に備えられる階下の天井９の遮音構造についてのもので、天井板１４の上に備えられた天井大梁１２と天井小梁１３…に囲まれた領域のうち、詳細に図示しないが、直交する二辺が天井大梁１２である区画領域の天井板部１４ａに、つなぎ梁１５…で、残る区画領域の天井板部１４ｂ…よりも高い局部遮音対策が施されているものである。本構造においても、床についての上記の遮音構造の場合と同様の原理によって、天井の遮音性能を効果的に高めることができ、しかも、それをコスト的に有利に、かつ、施工容易に実現することができる。特に、本実施形態では、階上の床の下に備えられる階下の天井の構造として構成されているので、階上の床の振動音が階下に伝わるのを、上記の遮音天井で、コスト面や施工面における有利性を発揮しつつ、効果的に遮断することができる。
【００２２】
以上に、本発明の実施形態を示したが、本発明はこれに限られるものではなく、発明思想を逸脱しない範囲で各種の変更が可能である。例えば、上記の実施形態では、遮音対策の手段として、つなぎ梁や質量材を用いた場合を示しているが、その他の遮音対策手段が用いられてもよい。
【図面の簡単な説明】
【００２３】
【図１】第１実施形態の遮音床の構造を示すもので、図（イ）は平面図、図（ロ）は図（イ）のＩ−Ｉ線断面矢視図である。
【図２】第２実施形態の遮音床の構造を示すもので、図（イ）は平面図、図（ロ）は図（イ）のＩＩ−ＩＩ線断面矢視図である。
【図３】第３実施形態の遮音床の構造を示すもので、図（イ）は平面図、図（ロ）は図（イ）のＩＩＩ−ＩＩＩ線断面矢視図である。
【図４】第４実施形態の遮音天井の構造を示す断面正面図である。
【図５】従来の床構造を示すもので、図（イ）は平面図、図（ロ）は図（イ）のＩＶ−ＩＶ線断面矢視図である。
【符号の説明】
【００２４】
２…大梁
３…小梁
４…床板
４ａ…対象領域の床板部
４ｂ…残る領域の床板部
５…つなぎ梁（遮音対策手段）
６…質量材（遮音対策手段）
１２…天井大梁
１３…天井小梁
１４…天井板
１４ａ…対象領域の天井板部
１４ｂ…残る領域の天井板部
【図１】
2005282137.tif 000003
【図２】
2005282137.tif 000004
【図３】
2005282137.tif 000005
【図４】
2005282137.tif 000006
【図５】
2005282137.tif 000007